(57)【特許請求の範囲】
【請求項１】
記録媒体に記録されたデータを表示するデータ表示方法であって、
第１のデータ群及び第２のデータ群を含み、該第１のデータ群はＢＤＡＶ形式の記録フォーマットに基づいて前記記録媒体上に記録され、前記第２のデータ群は前記ＢＤＡＶ形式の記録フォーマットとは異なるＢＤＭＶ形式の記録フォーマットに基づいて前記記録媒体上に記録され、
前記第１のデータ群は、前記ＢＤＡＶ形式のデータを表示する第１の一覧表示方法に用いる一覧表示データを含み、
前記第２のデータ群は、前記ＢＤＭＶ形式のデータを表示する第２の一覧表示方法に用いる一覧表示データを含み、
前記第１の一覧表示データは、該第１のデータ群と対応し、
前記第２の一覧表示データは、該第２のデータ群と対応し、
前記第１のデータ群と前記第２のデータ群とをあわせて一覧表示させることを許可するフラグ情報が前記記録媒体上に記録され、
前記フラグ情報をもとに前記第１のデータ群と前記第２のデータ群とをあわせて一覧表示するデータ表示方法。
【請求項２】
記録媒体にデータを記録する記録方法であって、
前記データは少なくとも第１のデータ群及び第２のデータ群を有するものであり、該第１のデータ群はＢＤＡＶ形式の記録フォーマットに基づいたデータ形式であり、前記第２のデータ群は前記ＢＤＡＶ形式の記録フォーマットとは異なるＢＤＭＶ形式の記録フォーマットに基づいたデータ形式であるように構成し、
前記第１のデータ群は、前記ＢＤＡＶ形式のデータを表示する第１の一覧表示方法に用いる一覧表示データを含み、前記第２のデータ群は、前記ＢＤＭＶ形式のデータを表示する第２の一覧表示方法に用いる一覧表示データを含むように構成し、
前記第１の一覧表示データは前記第１のデータ群を指し示し、前記第２の一覧表示データは前記第２のデータ群を指し示すような構成において、
前記第１のデータ群が記録された記録媒体に、前記第２のデータ群を記録するときに、前記第１のデータ群と前記第２のデータ群をあわせて一覧表示させることを許可する共存フラグを記録する記録方法。
【発明の詳細な説明】
【技術分野】
【０００１】
技術分野は、記録媒体にデータを記録、表示、再生する記録再生装置や方法に関する。
【背景技術】
【０００２】
現在、記録媒体としてＤＶＤ（Digital Versatile Disc）の普及が進んでいる。さらに大容量の次世代光ディスクとして、ＤＶＤより短波長（405nm）のレーザで記録再生するＢＤ（Blu-ray Disc）やＨＤ（High-Definition）−ＤＶＤの規格の詳細が議論され、また初期の製品が発売され始めている。
【０００３】
特にＢＤは、ＨＤ−ＤＶＤよりも大容量（１層で２５ＧＢ）であり、従来のＳＤ（Standard Definition：水平×垂直の画素が720×480（ＮＴＳＣの場合）又は780×576（ＰＡＬの場合））の画像よりもデータ量の多いＨＤ（High Definition：水平×垂直の画素が例えば1920×1080や1366×768）の画像を記録することに適していることから注目されている。このようなＢＤの技術として、例えば特許文献１や２がある。
【０００４】
Ｂｌｕ−ｒａｙ Ｄｉｓｃにおいては、リードオンリーメディア向けのアプリケーションフォーマットとしては、ＢＤＭＶフォーマットと呼ばれるフォーマットが規定されている。このフォーマットでは、充実したインタラクティブメニューなどが実現可能であり、また、ピクチャインピクチャ機能やＨ．２６４規格などの高圧縮ストリームに対応するなど、従来のＤＶＤ−Ｖｉｄｅｏと比較すると、高機能な仕様となっている。
また、リライタブルメディア向けのアプリケーションフォーマットとしては、ＢＤＡＶフォーマットと呼ばれるフォーマットが規定されている。このフォーマットでは、デジタル放送規格に準拠したストリーム形式を採用しており、また編集機能が充実しているため、放送された番組を記録するのに向いた仕様となっている。（例えば、非特許文献１および非特許文献２参照）
【特許文献１】ＷＯ２００４／０７５５４７
【特許文献２】特開２００６−１２７７０１
【非特許文献１】White paper Blu-ray Disc Format 2.B Audio Visual Application Format Specifications for BD-ROM March 2005
【非特許文献２】White paper Blu-ray Disc Format 2.A Logical and Audio Visual Application Format Specifications for BD-RE August 2004
【発明の開示】
【発明が解決しようとする課題】
【０００５】
高能率符号化技術の進展に伴い、映像・音声などにＡＶ（Audio / Visual）データをディジタルデータとして符号量圧縮し、ハードディスクや光ディスクなどの記録媒体に記録することが可能となっている。また、そのことにより、ハードディスクや光ディスクなどの記録媒体に用いた、プレーヤやレコーダといったＡＶ機器が普及している。これらのプレーヤやレコーダで用いられるＤＶＤなどを初めとした光ディスクでは、ＡＶデータは高能率符号化技術によりデータ圧縮され、その管理情報と共に所定のフォーマットに則った形でディスク上に記録されており、これらのデータを扱うためのファイルシステムやアプリケーションフォーマットも規定されている。さらに、現状の光ディスクよりも高機能の次世代の光ディスクでは、ＳＤ画像までしか扱えなかったＤＶＤよりも高解像度のＨＤ画像等の映像データまで取り扱うこと可能とするため、ファイルシステムやアプリケーションフォーマットもこれまでのデータフォーマットとは異なったものが必要となる。
【０００６】
ここでＢＤのフォーマットは、映画などのリードオンリーメディア向けのアプリケーションフォーマットや、放送記録などのリライタブルメディア向けのアプリケーションフォーマットが、それぞれ規定されている。それぞれＢＤＭＶ（BD MoVie）フォーマットとＢＤＡＶ（BD Audio / Visual）フォーマットという。
【０００７】
ＢＤＭＶフォーマットでは充実したインタラクティブメニューなどが実現可能であり、また、ピクチャインピクチャ機能やITU-TのVideo Coding Experts Groupで規定されたＨ．２６４／ＡＶＣ（Advanced Video Coding）規格などの高圧縮ストリームに対応するなど、従来のＤＶＤ−Ｖｉｄｅｏと比較すると、高機能な仕様となっている。また、ＢＤＡＶフォーマットでは、デジタル放送規格に準拠したストリーム形式を採用しており、また編集機能が充実しているため、放送された番組を記録するのに向いた仕様となっている。
【０００８】
これらのフォーマットはそれぞれ独自に使用されることを前提として策定されている。
【０００９】
しかしながら、双方のフォーマットに対応することでユーザに対してそれぞれのフォーマットの利点を提供できる。
【００１０】
それぞれのフォーマットの利点は例えば、ＢＤＡＶが採用している画像圧縮技術ＭＰＥＧ２は一般的にデジタル放送でも利用され、普及している形式であり、様々な機器での利用が可能である。そのままデータを記録するため、高画質であるが、データ量が大きい。また、ＢＤＭＶが採用している画像圧縮技術Ｈ．２６４は、圧縮効率が高く、記録時間、容量への負荷を軽減できる。しかし、普及率が低く、再生できる機器が限定される。そのため、用途に応じて使い分ける必要があると考えられる。ＢＤＡＶ、ＢＤＭＶ両方に対応した記録再生装置において、ＡＶデータを切り分けて記録再生するだけでなく、ニーズに合わせて適応的に相互に変換できることは有用である。
【００１１】
また、ＢＤＭＶとＢＤＡＶという異なるフォーマットを共存してどのように記録するのか、記録されたＢＤメディアを再生する場合にどちらのフォーマットを優先するか、両方をまとめて取り扱うのかなど、の問題がある。
【課題を解決するための手段】
【００１２】
そこで例えば、ＢＤＡＶとＢＤＭＶの利点をより一層活かす記録または再生に関する技術を提供する。具体的には、例えば特許請求の範囲記載の構成を用いる。
【発明の効果】
【００４２】
上記手段によれば、例えばユーザは異なる記録フォーマットのそれぞれの利点を享受できる。
【００４３】
なお、上に例示した以外の課題、手段、効果は後述する実施形態により明らかにされる。
【発明を実施するための最良の形態】
【００４４】
以下、図面を用いて本発明の実施に好適な実施形態の例を説明する。ただし、本発明は本実施例に限定されない。
【００４５】
（１）ファイル構成と記録処理の説明
まず、従来のデータ記録方式について、説明する。
【００４６】
図１は、Ｂｌｕ−ｒａｙ ディスク（以下、ＢＤと略す）上に記録されたＢＤＭＶ形式のファイル構成を模式的に示した図である。同図において、
１００がルートディレクトリ、
１０１がサブディレクトリＢＤＭＶ、
１０２がｉｎｄｅｘ．ｂｄｍｖ、
１０３がＭｏｖｉｅＯｂｊｅｃｔ．ｂｄｍｖ、
１０４がサブディレクトリＰＬＡＹＬＩＳＴ、
１０５が０００００．ｍｐｌｓ、
１０６がサブディレクトリＣＬＩＰＩＮＦ、
１０７が０１０００．ｃｌｐｉ、
１０８がサブディレクトリＳＴＲＥＡＭ、
１０９が０１０００．ｍ２ｔｓ、
１１０がサブディレクトリＡＵＸＤＡＴＡ、
１１１がｓｏｕｎｄ．ｂｄｍｖ、
１１２がサブディレクトリＢＡＣＫＵＰ、である。
【００４７】
ルートディレクトリ１００は、ＢＤの最上位のディレクトリであり、サブディレクトリＢＤＭＶ１０１を含む。
【００４８】
サブディレクトリＢＤＭＶ１０１は、ルートディレクトリ１００直下にあるサブディレクトリであり、サブディレクトリＰＬＡＹＬＩＳＴ１０４，サブディレクトリＣＬＩＰＩＮＦ１０６，サブディレクトリＳＴＲＥＡＭ１０８，サブディレクトリＡＵＸＤＡＴＡ１１０，サブディレクトリＢＡＣＫＵＰ１１２を含む。
【００４９】
ｉｎｄｅｘ．ｂｄｍｖ１０２は、サブディレクトリＢＤＭＶ１０１直下にあるファイルであり、サブディレクトリＢＤＭＶ１０１に含まれるコンテンツについて記述しているファイルである。
【００５０】
ＭｏｖｉｅＯｂｊｅｃｔ．ｂｄｍｖ１０３は、ムービーオブジェクト全体についての情報を含むファイルである。
【００５１】
サブディレクトリＰＬＡＹＬＩＳＴ１０４は、サブディレクトリＢＤＭＶ１０１直下にあるサブディレクトリであり、プレイリストファイルを含むディレクトリである。
０００００．ｍｐｌｓ１０５は、サブディレクトリＰＬＡＹＬＩＳＴ１０４直下にあるファイルであり、プレイリストを含むファイルである。
【００５２】
サブディレクトリＣＬＩＰＩＮＦ１０６は、サブディレクトリＢＤＭＶ１０１直下にあるサブディレクトリであり、クリップインフォメーションファイルを含むディレクトリである。
【００５３】
０１０００．ｃｌｐｉ１０７は、サブディレクトリＣＬＩＰＩＮＦ１０６直下にあるファイルであり、ＡＶストリームファイル０１０００．ｍ２ｔｓ１０９のアクセスポイントのタイムスタンプを保持したファイルである。
【００５４】
サブディレクトリＳＴＲＥＡＭ１０８は、サブディレクトリＢＤＭＶ１０１直下にあるサブディレクトリであり、ＡＶストリームファイルを含むディレクトリである。
０１０００．ｍ２ｔｓ１０９は、サブディレクトリＳＴＲＥＡＭ１０８直下にあるファイルであり、ＭＰＥＧ２トランスポートストリーム（ＩＳＯ／ＩＥＣ  １３８１８−１）を含む。
【００５５】
サブディレクトリＡＵＸＤＡＴＡ１１０は、サブディレクトリＢＤＭＶ１０１直下にあるサブディレクトリであり、サウンドデータやフォントデータを含むディレクトリである。
【００５６】
ｓｏｕｎｄ．ｂｄｍｖ１１１は、サブディレクトリＡＵＸＤＡＴＡ１１０直下にあるファイルであり、サウンドデータを含むファイルである。
【００５７】
サブディレクトリＢＡＣＫＵＰ１１２は、サブディレクトリＢＤＭＶ１０１直下にあるサブディレクトリであり、ｉｎｄｅｘ．ｂｄｍｖ１０２のコピーと、ＭｏｖｉｅＯｂｊｅｃｔ．ｂｄｍｖ１０３のコピーと、サブディレクトリＰＬＡＹＬＩＳＴ１０４直下の全ファイルのコピーと、サブディレクトリＣＬＩＰＩＮＦ１０６直下の全ファイルのコピーを含むディレクトリである。
【００５８】
なお、ムービーオブジェクトとは、ストリームファイルやクリップインフォメーションファイルやメタデータファイルなど、あるひとつのムービーに関するいくつかのデータをまとめて扱うときの、一塊のデータである。
【００５９】
また、クリップとは、あるひとつのムービーに関するストリームファイルとクリップインフォメーションファイルをまとめて扱うときの、一塊のデータである。
【００６０】
図２は、ＢＤ上に記録されたＢＤＡＶ形式のファイル構成を模式的に示した図である。同図において、
２００がルートディレクトリ、
２０１がサブディレクトリＢＤＡＶ、
２０２がｉｎｆｏ．ｂｄａｖ、
２０３がｍｅｎｕ．ｔｉｄｘ、
２０４がｍｅｎｕ．ｔｄｔ１、
２０５がｍｅｎｕ．ｔｄｔ２、
２０６がｍａｒｋ．ｔｉｄｘ、
２０７がｍａｒｋ．ｔｄｔ１、
２０８がｍａｒｋ．ｔｄｔ２、
２０９がサブディレクトリＰＬＡＹＬＩＳＴ、
２１０が０１００１．ｒｐｌｓ、
２１１が０２００２．ｒｐｌｓ、
２１２がサブディレクトリＣＬＩＰＩＮＦ、
２１３が０１０００．ｃｌｐｉ、
２１４が０２０００．ｃｌｐｉ、
２１５がサブディレクトリＳＴＲＥＡＭ、
２１６が０１０００．ｍ２ｔｓ、
２１７が０２０００．ｍ２ｔｓ、である。
【００６１】
ルートディレクトリ２００は、ＢＤの最上位のディレクトリであり、サブディレクトリＢＤＡＶ２０１を含む。
【００６２】
サブディレクトリＢＤＡＶ２０１は、直下にあるサブディレクトリであり、サブディレクトリＰＬＡＹＬＩＳＴ２０９、サブディレクトリＣＬＩＰＩＮＦ２１２、サブディレクトリＳＴＲＥＡＭ２１５を含む。
【００６３】
ｉｎｆｏ．ｂｄａｖ２０２は、サブディレクトリＢＤＡＶ２０１直下にあるファイルであり、サブディレクトリＢＤＡＶ２０１に含まれるコンテンツについて記述しているファイルである。
【００６４】
ｍｅｎｕ．ｔｉｄｘ２０３は、サブディレクトリＢＤＡＶ２０１直下にあるファイルであり、サブディレクトリＢＤＡＶ２０１の代表ピクチャをサムネールとして保持したファイルである。
【００６５】
ｍｅｎｕ．ｔｄｔ１２０４とｍｅｎｕ．ｔｄｔ２２０５は、サブディレクトリＢＤＡＶ２０１直下にあるファイルであり、サブディレクトリＢＤＡＶ２０１に含まれる各プレイリストの代表ピクチャをサムネールとして保持したファイルである。
【００６６】
ｍａｒｋ．ｔｉｄｘ２０６は、サブディレクトリＢＤＡＶ２０１直下にあるファイルであり、マークした位置のサムネール画像のインデックスを含む。
【００６７】
ｍａｒｋ．ｔｄｔ１２０７とｍａｒｋ．ｔｄｔ２２０８は、サブディレクトリＢＤＡＶ２０１直下にあるファイルであり、マークした位置のサムネール画像を含む。
サブディレクトリＰＬＡＹＬＩＳＴ２０９は、サブディレクトリＢＤＡＶ２０１直下にあるサブディレクトリであり、プレイリストを含むファイルである。
【００６８】
０１００１．ｒｐｌｓ２１０と０２００２．ｒｐｌｓ２１１は、サブディレクトリＰＬＡＹＬＩＳＴ２０９直下にあるファイルであり、プレイリストを含むファイルである。
【００６９】
サブディレクトリＣＬＩＰＩＮＦ２１２は、サブディレクトリＢＤＡＶ２０１直下にあるサブディレクトリであり、クリップインフォメーションファイルを含むディレクトリである。
【００７０】
０１０００．ｃｌｐｉ２１３は、サブディレクトリＣＬＩＰＩＮＦ２１２直下にあるファイルであり、ＡＶストリームファイル０１０００．ｍ２ｔｓ２１６のアクセスポイントのタイムスタンプを保持したファイルである。
【００７１】
０２０００．ｃｌｐｉ２１４は、サブディレクトリＣＬＩＰＩＮＦ２１２直下にあるファイルであり、ＡＶストリームファイル０２０００．ｍ２ｔｓ２１７のアクセスポイントのタイムスタンプを保持したファイルである。
【００７２】
サブディレクトリＳＴＲＥＡＭ２１５は、サブディレクトリＢＤＡＶ２０１直下にあるサブディレクトリであり、ＡＶストリームファイルを含むディレクトリである。
０１０００．ｍ２ｔｓ２１６と０２０００．ｍ２ｔｓ２１７は、サブディレクトリＳＴＲＥＡＭ２１５直下にあるファイルであり、ＭＰＥＧ２トランスポートストリーム（ＩＳＯ／ＩＥＣ  １３８１８−１）を含む。
【００７３】
次に、本実施例によるデータ記録方式について、説明する。
【００７４】
図３は、本実施例での、ＢＤ上に記録されたファイル構成を模式的に示した図である。
【００７５】
同図において、３００はルートディレクトリ、である。１０１は、図１のサブディレクトリＢＤＭＶ１０１と同じであるので、説明は割愛する。２０１は、図２のサブディレクトリＢＤＡＶ２０１と同じであるので、説明は割愛する。
【００７６】
ルートディレクトリ３００は、ＢＤの最上位のディレクトリであり、サブディレクトリＢＤＭＶ１０１とサブディレクトリＢＤＡＶ２０１を含む。
【００７７】
次に、本実施例での記録手順について、説明する。
【００７８】
まずは、何も記録されていないＢＤに、初めて記録する場合の動作を説明する。
【００７９】
図１６は、本実施例での、何も記録されていないＢＤに初めて記録する場合の処理フローのフローチャートであり、記録可否判定を行う処理のフローチャートである。同図において、
Ｓ１６０１は、開始ステップ、
Ｓ１６０２は、ＢＤレコーダの記録モードを判定するステップ、
Ｓ１６０３は、ＢＤにＢＤＡＶディレクトリが存在するかどうかを判定するステップ、
Ｓ１６０４は、ＢＤにＢＤＡＶとＢＤＭＶが共存していることを示すフラグが存在するかどうかを判定するステップ、
Ｓ１６０５は、判定結果が記録可能である場合の処理、
Ｓ１６０６は、終了ステップ、
Ｓ１６０７は、ＢＤにＢＤＭＶディレクトリが存在するかどうかを判定するステップ、
Ｓ１６０８は、判定結果が記録不可である場合の処理、である。
【００８０】
図１７は、本実施例での、何も記録されていないＢＤに初めて記録する場合の処理フローのフローチャートであり、図１６の記録可否判定を行った後の記録開始処理のフローチャートである。同図において、
Ｓ１７０１は、開始ステップ、
Ｓ１７０２は、記録するフォーマットがＢＤＭＶであるか、ＢＤＡＶであるか判定するステップ、
Ｓ１７０３は、ＢＤにＢＤＭＶディレクトリが存在するかどうかを判定するステップ、
Ｓ１７０４は、ＢＤにＢＤＭＶディレクトリを追加するステップ、
Ｓ１７０５は、ＢＤにＢＤＡＶとＢＤＭＶが共存していることを示すフラグを追加するステップ、
Ｓ１７０６は、記録開始ステップ、
Ｓ１７０７は、終了ステップ、
Ｓ１７０８は、ＢＤにＢＤＡＶディレクトリが存在するかどうかを判定するステップ、
Ｓ１７０９は、ＢＤにＢＤＡＶディレクトリを追加するステップ、である。
【００８１】
図１８は、本実施例での、ＢＤ上に記録されたＢＤＭＶとＢＤＡＶが共存したファイル構成を模式的に示した図である。同図において、
１８０１がルートディレクトリ、
１０１がサブディレクトリＢＤＭＶ、
２０１がサブディレクトリＢＤＡＶ、
１８０２が共存フラグ、である。
【００８２】
ルートディレクトリ１８０１は、ＢＤの最上位のディレクトリであり、サブディレクトリＢＤＭＶ１０１とサブディレクトリＢＤＡＶ２０１と共存フラグ１８０２を含む。
【００８３】
共存フラグ１８０２は、ルートディレクトリ１８０１直下にサブディレクトリＢＤＭＶ１０１とサブディレクトリＢＤＡＶ２０１が共存することを示すファイルである。
【００８４】
本実施例で、ＢＤに記録するパターンとして、以下に記述する６つが考えられる。
【００８５】
６つのパターンとは、すなわち、何も記録されていないＢＤに、ＢＤＭＶフォーマットで、初めて記録する場合、および、何も記録されていないＢＤに、ＢＤＡＶフォーマットで、初めて記録する場合、ＢＤＭＶフォーマットが記録されたＢＤに、ＢＤＭＶフォーマットで、記録する場合、および、ＢＤＭＶフォーマットが記録されたＢＤに、ＢＤＡＶフォーマットで、初めて記録する場合、および、ＢＤＭＶフォーマットとＢＤＡＶフォーマットが記録されたＢＤに、ＢＤＭＶフォーマットで追加記録する場合、および、ＢＤＭＶフォーマットとＢＤＡＶフォーマットが記録されたＢＤに、ＢＤＡＶフォーマットで追加記録する場合である。
【００８６】
上記の６つのパターンでＢＤに記録する場合、以下に記述する処理フローとなる。
【００８７】
ＢＤがＢＤレコーダに挿入された場合、本処理が開始する。（Ｓ１６０１）
まず、ＢＤレコーダの記録モードを判定する。（Ｓ１６０２）
Ｓ１６０２でＢＤレコーダがＢＤＭＶ優先モードに設定されている場合、挿入されたＢＤ上にＢＤＡＶ形式のデータが記録済みかどうか判定する。（Ｓ１６０３）
Ｓ１６０３でＢＤＡＶが記録済みであると判定されれば、ＢＤ上に、ＢＤＡＶとＢＤＭＶの共存が可能かどうかを示す共存フラグが記録されているか判定する。（Ｓ１６０４）
Ｓ１６０４で共存フラグありと判定されれば、記録可能となる。（Ｓ１６０５）
Ｓ１６０４で共存フラグなしと判定されれば、挿入されたＢＤはＢＤＡＶ記録専用のディスクであるため、記録不可となり、「現在の記録モードでは本ディスクには記録不可です」などの表示を行いユーザに通知し、ディスクを排出する。（Ｓ１６０８）
Ｓ１６０３でＢＤＡＶが記録済みでないと判定されれば、記録可能となる。（Ｓ１６０５）
Ｓ１６０２でＢＤレコーダがＢＤＡＶ優先モードに設定されている場合、挿入されたＢＤ上にＢＤＭＶ形式のデータが記録済みかどうか判定する。（Ｓ１６０７）
Ｓ１６０７でＢＤＭＶが記録済みと判定されれば、ＢＤ上に、ＢＤＡＶとＢＤＭＶの共存が可能かどうかを示す共存フラグが記録されているか判定する。（Ｓ１６０４）
Ｓ１６０４で共存フラグありと判定されれば、記録可能となる。（Ｓ１６０５）
Ｓ１６０４で共存フラグなしと判定されれば、挿入されたＢＤはＢＤＭＶ記録専用のディスクであるため、記録不可となり、「現在の記録モードでは本ディスクには記録不可です」などの表示を行いユーザに通知し、ディスクを排出する。（Ｓ１６０８）
Ｓ１６０７でＢＤＭＶが記録済みでないと判定されれば、記録可能となる。（Ｓ１６０５）
ＢＤＡＶ形式のデータが記録済みかどうかの判定は、例えば、ルートディレクトリ以下にサブディレクトリＢＤＡＶ２０１が存在し、かつ、ｉｎｆｏ．ｂｄａｖ２０２がＢＤＡＶフォーマットで記録されているかどうかを判定すればよい。
【００８８】
ＢＤＭＶ形式のデータが記録済みかどうかの判定は、例えば、ルートディレクトリ以下にサブディレクトリＢＤＭＶ１０１が存在し、かつ、ｉｎｄｅｘ．ｂｄｍｖ１０２がＢＤＭＶフォーマットで記録されているかどうかを判定すればよい。
【００８９】
共存フラグは、例えば図１８に示すように、ルートディレクトリ１８０１以下に共存フラグ１８０２が記録されているかどうかで実現可能である。
また、共存フラグを用いずに、ＢＤＡＶ形式のデータが記録済みであり、かつＢＤＭＶで記録する場合と、ＢＤＭＶ形式のデータが記録済みであり、かつＢＤＡＶで記録する場合は、ＢＤＡＶ／ＢＤＭＶ共存可能と判定することにより、実現可能である。
【００９０】
以上で、記録可否判定処理が終了である。（Ｓ１６０６）
図１６の記録可否判定に引き続き、図１７の記録開始処理が行われ、以下の処理フローとなる。
【００９１】
ＢＤレコーダに挿入されたＢＤが記録可能と判定された場合、本処理が開始する。（Ｓ１７０１）
まずは、ＢＤに記録可能なフォーマットを判定する。（Ｓ１７０２）
記録可能なフォーマットがＢＤＭＶである場合、ＢＤＭＶ形式のデータが記録済みかどうか判定する。（Ｓ１７０３）
Ｓ１７０３でＢＤＭＶなしと判定されれば、ＢＤＭＶフォーマットをＢＤに記録する。（Ｓ１７０４）
そして、共存フラグ１８０２を記録する。（Ｓ１７０５）
そして、記録処理を開始する。（Ｓ１７０６）
Ｓ１７０３でＢＤＭＶありと判定されれば、既存のＢＤＭＶに追加記録する形で、記録処理を開始する。（Ｓ１７０６）
以上で、記録開始処理が終了である。（Ｓ１７０７）
このように、ＢＤに記録されたフォーマットをユーザが意識することなく、簡単に記録が可能であるという効果がある。
【００９２】
また、いったんＢＤレコーダに、ＢＤＭＶ優先モード化ＢＤＡＶ優先モードかを設定しておけばよいので、記録フォーマットを毎回判定する手間が減るという効果がある。
【００９３】
また、Ｓ１６０２でＢＤ挿入ごとにユーザに記録モードを選択させる構成も考えられるが、その場合、記録する番組やディスクに応じた最適なフォーマットをユーザが柔軟に選択できるという効果がある。
【００９４】
また、何も記録されていないＢＤに、ＢＤＭＶフォーマットで、初めて記録する場合、および、何も記録されていないＢＤに、ＢＤＡＶフォーマットで、初めて記録する場合、Ｓ１６０４を共存フラグ追加処理に置き換えることで、共存フラグが記録されていない場合でもＢＤＭＶもしくはＢＤＡＶのいずれでも記録可能となるという効果がある。
【００９５】
（２）一覧表示と再生の処理の説明
次に、本実施例での一覧表示と再生手順について、説明する。なお、一覧表示とは必ずしも全データを一画面に表示することに限らず、複数のデータを画面上で並べて表示するものとする。
【００９６】
まずは、サブディレクトリＢＤＭＶ１０１とサブディレクトリＢＤＡＶ２０１が記録されたＢＤから、ＢＤＡＶで記録されたクリップを一覧表示し、一覧からクリップを選択して再生する場合の動作を説明する。
【００９７】
図１９は、本実施例での、ＢＤに記録されたクリップを一覧表示して再生する処理フローのフローチャートである。同図において、
Ｓ１９０１は、開始ステップ、
Ｓ１９０２は、ＢＤ上にＢＤＭＶフォーマットが記録されているかどうか判定するステップ、
Ｓ１９０３は、ＢＤ上にＢＤＡＶフォーマットが記録されているかどうか判定するステップ、
Ｓ１９０４は、ＢＤ上に共存フラグが記録されているかどうか判定するステップ、
Ｓ１９０５は、ＢＤＭＶフォーマットで記録されたクリップとＢＤＡＶフォーマットで記録されたクリップをまとめて、一覧表示するステップ、
Ｓ１９０６は、表示されたクリップ一覧から、再生するクリップを選択し、再生を行うステップ、
Ｓ１９０７は、ＢＤＭＶフォーマットで記録されたクリップのみを一覧表示するステップ、
Ｓ１９０８は、ＢＤＡＶフォーマットで記録されたクリップのみを一覧表示するステップ、
Ｓ１９０９は、終了ステップ、である。
【００９８】
本実施例で、ＢＤのクリップを一覧表示するパターンとして、以下に記述する５つが考えられる。
【００９９】
５つのパターンとは、すなわち、ＢＤＭＶフォーマットのみが記録されたＢＤのクリップを一覧表示する場合、および、ＢＤＡＶフォーマットのみが記録されたＢＤのクリップを一覧表示する場合、および、ＢＤＭＶフォーマットとＢＤＡＶフォーマットが記録されたＢＤのＢＤＭＶフォーマットのクリップを一覧表示する場合、および、ＢＤＭＶフォーマットとＢＤＡＶフォーマットが記録されたＢＤのＢＤＡＶフォーマットのクリップを一覧表示する場合、および、ＢＤＭＶフォーマットとＢＤＡＶフォーマットが記録されたＢＤのＢＤＭＶフォーマットとＢＤＡＶフォーマットの両方のクリップを一覧表示する場合、である。
【０１００】
上記の５つのパターンでＢＤのクリップを一覧表示する場合、以下に記述する処理フローとなる。
【０１０１】
ＢＤがＢＤレコーダに挿入された場合、本処理が開始する。（Ｓ１９０１）
まず、挿入されたＢＤ上にＢＤＭＶ形式のデータが記録済みかどうか判定する。（Ｓ１９０２）
Ｓ１９０２でＢＤＡＶ形式のデータが記録済みであると判定されれば、挿入されたＢＤ上にＢＤＡＶ形式のデータが記録済みかどうか判定する。（Ｓ１９０３）
Ｓ１９０３でＢＤＭＶ形式のデータが記録済みであると判定されれば、ＢＤ上に、ＢＤＡＶとＢＤＭＶの共存が可能かどうかを示す共存フラグが記録されているか判定する。（Ｓ１９０４）
Ｓ１９０４で共存フラグありと判定されれば、ＢＤＭＶフォーマットとＢＤＡＶフォーマットの両方のクリップを一覧表示する。（Ｓ１９０６）
Ｓ１９０２でＢＤＭＶ形式のデータが記録済みでないと判定されれば、ＢＤＡＶフォーマットのクリップを一覧表示する。（Ｓ１９０８）
Ｓ１９０３でＢＤＡＶ形式のデータが記録済みでないと判定されれば、ＢＤＭＶフォーマットのクリップを一覧表示する。（Ｓ１９０７）
以上で、クリップ一覧表示処理と再生開始処理が終了である。（Ｓ１９０９）
ＢＤのクリップを一覧表示する表示方法を、図４から図１５を用いて説明する。
【０１０２】
１つ目の方法を示す。
【０１０３】
図４は、ＢＤ上に記録されたＢＤＡＶ形式のクリップ一覧の表示例を示した図である。同図において、
４０１が一覧表示のタイトル、
４０２が１番目のクリップのタイトル、
４０３が１番目のクリップの情報、
４０４が２番目のクリップのタイトル、
４０５が２番目のクリップの情報、
４０６が３番目のクリップのタイトル、
４０７が３番目のクリップの情報、である。
【０１０４】
一覧表示のタイトル４０１は、ＢＤに記録されたクリップ一覧を表示する画面であることを示す。
【０１０５】
タイトル４０２は、１番目のクリップのタイトルが「スペースヒットマン」であることを示す。
【０１０６】
クリップ情報４０３は、１番目のクリップの種別が映画タイトルであり、記録時間が１００分、表示解像度が横１９２０画素×縦１０８０画素のハイビジョンであることを示す。
【０１０７】
タイトル４０４は、２番目のクリップのタイトルが「スペースヒットマン２」であることを示す。
【０１０８】
クリップ情報４０５は、２番目のクリップの種別が映画タイトルであり、記録時間が９０分、表示解像度が横１９２０画素×縦１０８０画素のハイビジョンであることを示す。
【０１０９】
タイトル４０６は、３番目のクリップのタイトルが「特別番組」であることを示す。
【０１１０】
クリップ情報４０７は、３番目のクリップの、種別がメイキング番組であり、記録時間が１０分、表示解像度が横１２８０画素×縦７２０画素のハイビジョンであることを示す。
【０１１１】
この一覧表示は、ＢＤＡＶとＢＤＭＶが記録されたＢＤからＢＤＡＶだけを一覧表示する場合に、使用される。再生する機器独自の表示方法であり、ディスクに記録されたメニュー表示とは異なる表示方法である。
【０１１２】
また、メニューがシンプルなＢＤの場合は、このような構成の一覧表示をＢＤが保持していることも考えられる。
【０１１３】
図５は、ＢＤ上に記録されたＢＤＭＶ形式のクリップ一覧の表示例を示した図である。同図において、
５０１が一覧表示のタイトル、
５０２が１番目のクリップのタイトル、
５０３が１番目のクリップの情報、
５０４が２番目のクリップのタイトル、
５０５が２番目のクリップの情報、である。
【０１１４】
一覧表示のタイトル５０１は、ＢＤに記録されたクリップ一覧を表示する画面であることを示す。
【０１１５】
１番目のクリップのタイトル５０２は、１番目のクリップのタイトルが「運動会で1等賞」であることを示す。
【０１１６】
１番目のクリップの情報５０３は、１番目のクリップの記録時間が３０分、表示解像度が横１９２０画素×縦１０８０画素のハイビジョンであることを示す。
【０１１７】
２番目のクリップのタイトル５０４は、２番目のクリップのタイトルが「温泉旅行」であることを示す。
【０１１８】
２番目のクリップの情報５０５は、２番目のクリップの記録時間が２０分、表示解像度が横１９２０画素×縦１０８０画素のハイビジョンであることを示す。
【０１１９】
この一覧表示は、ＢＤＡＶとＢＤＭＶが記録されたＢＤからＢＤＭＶだけを一覧表示する場合に、使用される。再生する機器独自の表示方法であり、ディスクに記録されたメニュー表示とは異なる表示方法である。
【０１２０】
また、メニューがシンプルなＢＤの場合は、このような構成の一覧表示をＢＤが保持していることも考えられる。
【０１２１】
なお、図６は、ＢＤ上に記録されたＢＤＡＶ形式のクリップ一覧の別の表示例を示した図である。同図において、
６０１が１番目のクリップのタイトルとクリップ情報、
６０２が１番目のクリップのサムネール画像、
６０３が２番目のクリップのタイトルとクリップ情報、
６０４が２番目のクリップのサムネール画像、
６０５が３番目のクリップのタイトルとクリップ情報、
６０６が３番目のクリップのサムネール画像、である。
【０１２２】
１番目のクリップのタイトルとクリップ情報６０１は、１番目のクリップのタイトルが「スペースヒットマン」であり、2001年製作の豪国作品であり、主演俳優名はＢｏｂであることを示す。
【０１２３】
１番目のクリップのサムネール画像６０２は、１番目のクリップのサムネールを表示している。
【０１２４】
２番目のクリップのタイトルとクリップ情報６０３は、１番目のクリップのタイトルが「スペースヒットマン２」であり、2007年製作の豪国作品であり、主演俳優名はＢｏｂとＭｉｋｅであることを示す。
【０１２５】
２番目のクリップのサムネール画像６０４は、２番目のクリップのサムネールを表示している。
【０１２６】
３番目のクリップのタイトルとクリップ情報６０５は、１番目のクリップのタイトルが「スペースヒットマン」であり、2001年製作の日本のＮＨＫ作品であることを示す。
【０１２７】
３番目のクリップのサムネール画像６０６は、３番目のクリップのサムネールを表示している。
【０１２８】
この一覧表示は、ＢＤＡＶのみが記録されたＢＤを一覧表示する場合に使用される、一般的な表示である。
【０１２９】
メニューがリッチなＢＤの場合は、このような構成の一覧表示をＢＤが保持していることも考えられる。
【０１３０】
また、図７は、ＢＤ上に記録されたＢＤＭＶ形式のクリップ一覧の別の表示例を示した図である。同図において、
７０１が一覧表示のタイトル、
７０２が１番目のクリップのサムネール画像、
７０３が１番目のクリップのタイトルとクリップ情報、
７０４が２番目のクリップのサムネール画像、
７０５が２番目のクリップのタイトルとクリップ情報、である。
【０１３１】
一覧表示のタイトル７０１は、ＢＤに記録されたクリップ一覧を表示する画面であることを示す。
【０１３２】
１番目のクリップのサムネール画像７０２は、１番目のクリップのサムネールを表示している。
【０１３３】
１番目のクリップのタイトルとクリップ情報７０３は、１番目のクリップのタイトルが「運動会で1等賞」であり、記録時間が３０分、表示解像度が横１９２０画素×縦１０８０画素のハイビジョンであることを示す。
【０１３４】
２番目のクリップのサムネール画像７０４は、２番目のクリップのサムネールを表示している。
【０１３５】
２番目のクリップのタイトルとクリップ情報７０５は、２番目のクリップのタイトルが「温泉旅行」であり、記録時間が２０分、表示解像度が横１９２０画素×縦１０８０画素のハイビジョンであることを示す。
【０１３６】
この一覧表示は、ＢＤＭＶのみが記録されたＢＤを一覧表示する場合に使用される、一般的な表示である。
【０１３７】
メニューがリッチなＢＤの場合は、このような構成の一覧表示をＢＤが保持していることも考えられる。
【０１３８】
図８は、ＢＤ上に記録されたＢＤＡＶ形式のクリップとＢＤＭＶ形式のクリップをまとめて一覧表示する表示例を示した図である。同図において、
８０１が一覧表示のタイトル、
８０２が１番目のクリップのタイトル、
８０３が２番目のクリップのタイトル、
８０４が３番目のクリップのタイトル、
８０５が４番目のクリップのタイトル、
８０６が５番目のクリップのタイトル、である。
【０１３９】
一覧表示のタイトル８０１は、ＢＤに記録されたクリップ一覧を表示する画面であることを示す。
【０１４０】
１番目のクリップのタイトル８０２は、１番目のクリップのタイトルが「スペースヒットマン」であることを示す。
【０１４１】
２番目のクリップのタイトル８０３は、２番目のクリップのタイトルが「スペースヒットマン２」であることを示す。
【０１４２】
３番目のクリップのタイトル８０４は、３番目のクリップのタイトルが「特別番組」であることを示す。
【０１４３】
４番目のクリップのタイトル８０５は、４番目のクリップのタイトルが「運動会で1等賞」であることを示す。
【０１４４】
５番目のクリップのタイトル８０６は、５番目のクリップのタイトルが「温泉旅行」であることを示す。
【０１４５】
この一覧表示は、ＢＤＭＶとＢＤＡＶが記録されたＢＤを一覧表示する場合に使用される。
【０１４６】
なお、メニューがシンプルなＢＤの場合は、図４ような一覧表示をＢＤＡＶ形式で保持していることも考えられ、その場合は図８のようにＢＤＭＶとＢＤＡＶのクリップをＢＤＡＶ形式でまとめて表示することが考えられる。
【０１４７】
この表示方法により、ＢＤＡＶモードとＢＤＭＶモードを切り替える手間が軽減でき、ＢＤＡＶモードとＢＤＭＶモードで統一された一覧表示ができるため、一覧が見易く、ディスクに記録されたすべてのクリップをすばやく確認でき、管理が容易である、という効果がある。
【０１４８】
２つ目の方法を示す。
【０１４９】
図９は、ＢＤ上に記録されたＢＤＡＶ形式のクリップとＢＤＭＶ形式のクリップをまとめて一覧表示する別の表示例を示した図である。同図において、
９０１が一覧表示のタイトル、
９０２が１番目の表示方法、
９０３が２番目の表示方法、
９０４が３番目の表示方法、である。
【０１５０】
一覧表示のタイトル９０１は、ＢＤに記録されたクリップ一覧の表示方法を表示する画面であることを示す。
【０１５１】
１番目の表示方法９０２は、ＢＤＭＶフォーマットで記録されたクリップを表示するモードであり、ＢＤＭＶで３つのコンテンツが記録されていることを示す。
【０１５２】
２番目の表示方法９０３は、ＢＤＡＶフォーマットで記録されたクリップを表示するモードであり、ＢＤＡＶで２つのコンテンツが記録されていることを示す。
【０１５３】
３番目の表示方法９０４は、ＢＤＭＶフォーマットとＢＤＭＶフォーマットで記録されたクリップすべてを表示するモードであり、合計５つのコンテンツが記録されていることを示す。
【０１５４】
図１０は、図９でＢＤＡＶモードを選択した後に、ＢＤＡＶ形式のクリップを一覧表示する表示例を示した図である。同図において、
１００１が一覧表示のタイトル、
１００２が１番目のクリップのタイトル、
１００３が１番目のクリップの情報、
１００４が２番目のクリップのタイトル、
１００５が２番目のクリップの情報、
１００６が３番目のクリップのタイトル、
１００７が３番目のクリップの情報、である。
【０１５５】
一覧表示のタイトル１００１は、ＢＤに記録されたクリップ一覧を表示する画面であることを示す。
【０１５６】
タイトル１００２は、１番目のクリップのタイトルが「スペースヒットマン」であることを示す。
【０１５７】
クリップ情報１００３は、１番目のクリップの種別が映画タイトルであり、記録時間が１００分、表示解像度が横１９２０画素×縦１０８０画素のハイビジョンであることを示す。
【０１５８】
タイトル１００４は、２番目のクリップのタイトルが「スペースヒットマン２」であることを示す。
【０１５９】
クリップ情報１００５は、２番目のクリップの種別が映画タイトルであり、記録時間が９０分、表示解像度が横１９２０画素×縦１０８０画素のハイビジョンであることを示す。
【０１６０】
タイトル１００６は、３番目のクリップのタイトルが「特別番組」であることを示す。
【０１６１】
クリップ情報１００７は、３番目のクリップの、種別がメイキング番組であり、記録時間が１０分、表示解像度が横１２８０画素×縦７２０画素のハイビジョンであることを示す。
【０１６２】
図１１は、図９でＢＤＭＶモードを選択した後に、ＢＤＭＶ形式のクリップを一覧表示する表示例を示した図である。同図において、
１１０１が一覧表示のタイトル、
１１０２が１番目のクリップのタイトル、
１１０３が１番目のクリップの情報、
１１０４が２番目のクリップのタイトル、
１１０５が２番目のクリップの情報、である。
【０１６３】
一覧表示のタイトル１１０１は、ＢＤに記録されたクリップ一覧を表示する画面であることを示す。
【０１６４】
１番目のクリップのタイトル１１０２は、１番目のクリップのタイトルが「運動会で1等賞」であることを示す。
【０１６５】
１番目のクリップの情報１１０３は、１番目のクリップの記録時間が３０分、表示解像度が横１９２０画素×縦１０８０画素のハイビジョンであることを示す。
【０１６６】
２番目のクリップのタイトル１１０４は、２番目のクリップのタイトルが「温泉旅行」であることを示す。
【０１６７】
２番目のクリップの情報１１０５は、２番目のクリップの記録時間が２０分、表示解像度が横１９２０画素×縦１０８０画素のハイビジョンであることを示す。
【０１６８】
図１２は、図９ですべて表示するモードを選択した後に、ＢＤＡＶ形式のクリップとＢＤＭＶ形式のクリップをまとめて一覧表示する表示例を示した図である。同図において、
１２０１が一覧表示のタイトル、である。
【０１６９】
８０２から８０６は、図８の該当する番号のものと同じであるので、説明は割愛する。
【０１７０】
これらの一覧表示は、ＢＤＡＶとＢＤＭＶが記録されたＢＤからＢＤＭＶだけを一覧表示する場合に、使用される。再生する機器独自の表示方法であり、ディスクに記録されたメニュー表示とは異なる表示方法である。
【０１７１】
これらの表示方法により、ＢＤＡＶモードとＢＤＭＶモードと全クリップ表示モードをユーザが選択でき、切り替える操作が簡単にでき、ＢＤＡＶモードとＢＤＭＶモードで統一された一覧表示ができるため、一覧が見易く、ディスクに記録されたすべてのクリップをすばやく確認でき、管理が容易である、という効果がある。
【０１７２】
３つ目の方法を示す。
【０１７３】
図１３は、ＢＤ上に記録されたＢＤＡＶ形式のクリップとＢＤＭＶ形式のクリップをまとめて、記録時間順に一覧表示する表示例を示した図である。同図において、
１３０１が一覧表示のタイトル、
１３０２が１番目のクリップのタイトル、
１３０３が２番目のクリップのタイトル、
１３０４が３番目のクリップのタイトル、
１３０５が４番目のクリップのタイトル、
１３０６が５番目のクリップのタイトル、である。
【０１７４】
一覧表示のタイトル１３０１は、ＢＤに記録されたクリップ一覧を表示する画面であることを示す。
【０１７５】
１番目のクリップのタイトル１３０２は、１番目のクリップのタイトルが「運動会で1等賞」であることを示す。
【０１７６】
２番目のクリップのタイトル１３０３は、２番目のクリップのタイトルが「スペースヒットマン」であることを示す。
【０１７７】
３番目のクリップのタイトル１３０４は、３番目のクリップのタイトルが「特別番組」であることを示す。
【０１７８】
４番目のクリップのタイトル１３０５は、４番目のクリップのタイトルが「スペースヒットマン２」であることを示す。
【０１７９】
５番目のクリップのタイトル１３０６は、５番目のクリップのタイトルが「温泉旅行」であることを示す。
【０１８０】
この一覧表示は、ＢＤＭＶとＢＤＡＶが記録されたＢＤを一覧表示する場合に使用される。再生する機器独自の表示方法であり、ディスクに記録されたメニュー表示とは異なる表示方法である。
【０１８１】
この表示方法により、ＢＤＡＶモードとＢＤＭＶモードを切り替える手間が軽減でき、ＢＤＡＶモードとＢＤＭＶモードで統一された一覧表示ができるため、一覧が見易く、ディスクに記録されたすべてのクリップを時系列順にすばやく確認でき、管理が容易である、という効果がある。
【０１８２】
４つ目の方法を示す。
【０１８３】
図１４は、ＢＤ上に記録されたＢＤＡＶ形式のクリップとＢＤＭＶ形式のクリップのうち、ＢＤＡＶ形式のクリップを一覧表示し、同時にＢＤＭＶ形式のクリップの一覧表示へ切り替えるボタンを表示する表示例を示した図である。同図において、
１４０１が一覧表示のタイトル、
１４０２が１番目のクリップのタイトル、
１４０３が１番目のクリップの情報、
１４０４が２番目のクリップのタイトル、
１４０５が２番目のクリップの情報、
１４０６が３番目のクリップのタイトル、
１４０７が３番目のクリップの情報、
１４０８がＢＤＭＶ形式のクリップ一覧表示ボタン、である。
【０１８４】
一覧表示のタイトル１４０１は、ＢＤに記録されたクリップ一覧を表示する画面であることを示す。
【０１８５】
タイトル１４０２は、１番目のクリップのタイトルが「スペースヒットマン」であることを示す。
【０１８６】
クリップ情報１４０３は、１番目のクリップの種別が映画タイトルであり、記録時間が１４０分、表示解像度が横１９２０画素×縦１０８０画素のハイビジョンであることを示す。
【０１８７】
タイトル１４０４は、２番目のクリップのタイトルが「スペースヒットマン２」であることを示す。
【０１８８】
クリップ情報１４０５は、２番目のクリップの種別が映画タイトルであり、記録時間が９０分、表示解像度が横１９２０画素×縦１０８０画素のハイビジョンであることを示す。
【０１８９】
タイトル１４０６は、３番目のクリップのタイトルが「特別番組」であることを示す。
【０１９０】
クリップ情報１４０７は、３番目のクリップの、種別がメイキング番組であり、記録時間が１０分、表示解像度が横１２８０画素×縦７２０画素のハイビジョンであることを示す。
【０１９１】
ＢＤＭＶ形式のクリップ一覧表示ボタン１４０８は、このＢＤにはＢＤＡＶ形式のクリップのみならずＢＤＭＶ形式のクリップが記録されていることを示し、このボタンを押下することで図１５に示すＢＤＭＶ形式のクリップ一覧表示に切り替えることができる。
【０１９２】
図１５は、ＢＤ上に記録されたＢＤＡＶ形式のクリップとＢＤＭＶ形式のクリップのうち、ＢＤＭＶ形式のクリップを一覧表示し、同時にＢＤＡＶ形式のクリップの一覧表示へ切り替えるボタンを表示する表示例を示した図である。同図において、
１５０１が一覧表示のタイトル、
１５０２が１番目のクリップのタイトル、
１５０３が１番目のクリップの情報、
１５０４が２番目のクリップのタイトル、
１５０５が２番目のクリップの情報、
１５０６がＢＤＡＶ形式のクリップ一覧表示ボタン、である。
【０１９３】
一覧表示のタイトル１５０１は、ＢＤに記録されたクリップ一覧を表示する画面であることを示す。
【０１９４】
１番目のクリップのタイトル１５０２は、１番目のクリップのタイトルが「運動会で1等賞」であることを示す。
【０１９５】
１番目のクリップの情報１５０３は、１番目のクリップの記録時間が３０分、表示解像度が横１９２０画素×縦１０８０画素のハイビジョンであることを示す。
【０１９６】
２番目のクリップのタイトル１５０４は、２番目のクリップのタイトルが「温泉旅行」であることを示す。
【０１９７】
２番目のクリップの情報１５０５は、２番目のクリップの記録時間が２０分、表示解像度が横１９２０画素×縦１０８０画素のハイビジョンであることを示す。
【０１９８】
ＢＤＡＶ形式のクリップ一覧表示ボタン１５０６は、このＢＤにはＢＤＭＶ形式のクリップのみならずＢＤＡＶ形式のクリップが記録されていることを示し、このボタンを押下することで図１４に示すＢＤＡＶ形式のクリップ一覧表示に切り替えることができる。
【０１９９】
最後に、本実施例の、ＢＤレコーダを説明する。
【０２００】
図２０は、本実施例の、ＢＤレコーダのブロック図を示したものである。同図において、
２０００はＢＤレコーダ、
２００１はＢＤ、
２００２はユーザＩ／Ｆ、
２００３は制御部、
２００４はメモリ、
２００５はトラックバッファ、
２００６はドライブ、
２００７はピックアップ、
２００８はエンコーダ／デコーダ部、
２００９は入力部、
２０１０は出力部、
２０１１はチューナ、
２０１２は分離部、である。
【０２０１】
ＢＤレコーダ２０００は、ＢＤ２００１、ユーザＩ／Ｆ２００２、制御部２００３、メモリ２００４、トラックバッファ２００５、ドライブ２００６、ピックアップ２００７、エンコーダ／デコーダ部２００８、入力部２００９、出力部２０１０、を備える。
【０２０２】
ＢＤ２００１は、ＢＤＭＶ形式やＢＤＡＶ形式で映像音声信号を高品質に記録可能な書き換え可能光ディスクである。
ユーザＩ／Ｆ２００２は、ＢＤレコーダ２０００の本体にあるボタンやＦＬ表示管、リモコン受光部であり、ユーザからの指示をレコーダに取り込んだり、ユーザへの通知情報を表示する。
【０２０３】
制御部２００３は、ＢＤレコーダ２０００の制御をつかさどり、エンコーダ／デコーダ部２００８の設定やドライブ２００６のＲｅａｄ／Ｗｒｉｔｅ制御を行う。
【０２０４】
メモリ２００４は、制御部２００３のワーク領域として使用するＳＤＲＡＭなどのワークメモリである。
【０２０５】
トラックバッファ２００５は、ドライブ２００６へのＲ／Ｗのためのバッファであり、ＳＤＲＡＭなどの大容量メモリで構成される。
【０２０６】
ドライブ２００６は、ＢＤをＲ／Ｗ可能な光ディスクドライブである。
【０２０７】
ピックアップ２００７は、ドライブ２００６に内蔵され、ＢＤ２００１にレーザー光を照射し、データのＲ／Ｗを行う。
【０２０８】
エンコーダ／デコーダ部２００８は、ＢＤレコーダ２０００の外部から入力された映像音声信号をエンコードしたり、ＢＤ２００１から読み出されたＭＰＥＧストリームやＨ．２６４ストリームをデコードし、ＢＤレコーダ２０００の外部へ出力する映像音声信号を復号する。
【０２０９】
入力部２００９は、ＢＤレコーダ２０００の外部からアナログ映像音声信号を入力する。
【０２１０】
出力部２０１０は、ＢＤレコーダ２０００の外部へアナログ映像音声信号やクリップ一覧表示などのＯＳＤ表示を出力する。
【０２１１】
チューナ２０１１は、ＢＤレコーダ２０００の外部から、デジタル放送を受信し入力する。
【０２１２】
分離部２０１２は、チューナ２０１１から入力されたデジタル信号を分離し、必要なデータのみを取り込む。
【０２１３】
次に、ＢＤレコーダで、クリップ一覧表示を行う場合のデータの流れを説明する。
【０２１４】
制御部２００３は、ドライブ２００６にセットされたＢＤ２００１にアクセスし、ＢＤＭＶ形式もしくはＢＤＡＶ形式で記録されているかどうかの情報を読み出す。
【０２１５】
読み出されたデータは、いったんトラックバッファ２００５に蓄積され、そのなかから必要な情報をメモリ２００４に取り込み、ＢＤＭＶ形式もしくはＢＤＡＶ形式の記録有無を判定する。
【０２１６】
ＢＤＭＶ形式とＢＤＡＶ形式をまとめて一覧表示する場合は、ＢＤＭＶ形式のクリップ情報と、ＢＤＭＶ形式のクリップ情報を、ＢＤレコーダ２０００独自のクリップ一覧表示形式もしくはＢＤＡＶ形式のクリップ一覧表示形式に変換し、変換されたクリップ一覧データをもとにＯＳＤ表示データをメモリ２００４上に作成する。
【０２１７】
さらに、ＯＳＤ表示データをエンコーダ／デコーダ部２００８を経由して、出力部２０１０から出力する。
【０２１８】
制御部２００３は、ＢＤＭＶ形式もしくはＢＤＡＶ形式のデータをＢＤ２００１に記録する場合は、ＢＤＭＶ形式もしくはＢＤＡＶ形式のデータ構造をいったんメモリ２００４上に作成し、トラックバッファ２００５にディスクイメージで書き込み、完成したディスクイメージをセクタ単位でドライブ２００６がＢＤ２００１に記録するよう、制御する。
【０２１９】
なお、ＢＤカメラの場合の構成は、上記のＢＤレコーダと比べて、チューナ２０１１と、分離部２０１２を除いた構成となる。
【０２２０】
また、ＢＤプレーヤの場合の構成は、上記のＢＤレコーダと比べて、チューナ２０１１と、分離部２０１２を除き、エンコーダ／デコーダ部２００８をデコーダのみとした構成となる。
【０２２１】
本実施例によれば、例えばディスクに記録されたフォーマットをユーザが意識することなく、ディスク上のすべてのクリップを、簡単に一覧が可能であり、検索性が向上するという効果がある。
【０２２２】
また本実施例によれば、例えばディスクに記録されたフォーマットをユーザが意識することなく、簡単に再生が可能であるという効果がある。
【０２２３】
また本実施例によれば、例えばディスクに記録されたフォーマットをユーザが意識することなく、記録フォーマットを迷うことなく、簡単に記録が可能であるという効果がある。
【０２２４】
また、本実施例によれば、ＢＤＭＶ特有の機能であるＨ．２６４のような高圧縮技術を用いて、ＢＤＡＶで記録されたディスクに対しても長時間記録を行うことができるという効果がある。
【図面の簡単な説明】
【０２２５】
【図１】Ｂｌｕ−ｒａｙディスク（ＢＤ）上に記録されたＢＤＭＶ形式のファイル構成例を模式的に示した図
【図２】ＢＤ上に記録されたＢＤＡＶ形式のファイル構成例を模式的に示した図
【図３】ＢＤ上に記録されたファイル構成例を模式的に示した図
【図４】ＢＤ上に記録されたＢＤＡＶ形式のクリップ一覧の表示例を示した図
【図５】ＢＤ上に記録されたＢＤＭＶ形式のクリップ一覧の表示例を示した図
【図６】ＢＤ上に記録されたＢＤＡＶ形式のクリップ一覧の別の表示例を示した図
【図７】ＢＤ上に記録されたＢＤＭＶ形式のクリップ一覧の別の表示例を示した図
【図８】ＢＤ上に記録されたＢＤＡＶ形式のクリップとＢＤＭＶ形式のクリップをまとめて一覧表示する表示例を示した図
【図９】ＢＤ上に記録されたＢＤＡＶ形式のクリップとＢＤＭＶ形式のクリップをまとめて一覧表示する別の表示例を示した図
【図１０】ＢＤＡＶモードを選択した後に、ＢＤＡＶ形式のクリップを一覧表示する表示例を示した図
【図１１】ＢＤＭＶモードを選択した後に、ＢＤＭＶ形式のクリップを一覧表示する表示例を示した図
【図１２】すべて表示するモードを選択した後に、ＢＤＡＶ形式のクリップとＢＤＭＶ形式のクリップをまとめて一覧表示する表示例を示した図
【図１３】ＢＤ上に記録されたＢＤＡＶ形式のクリップとＢＤＭＶ形式のクリップをまとめて、記録時間順に一覧表示する表示例を示した図
【図１４】ＢＤ上に記録されたＢＤＡＶ形式のクリップとＢＤＭＶ形式のクリップのうち、ＢＤＡＶ形式のクリップを一覧表示し、同時にＢＤＭＶ形式のクリップの一覧表示へ切り替えるボタンを表示する表示例を示した図
【図１５】ＢＤ上に記録されたＢＤＡＶ形式のクリップとＢＤＭＶ形式のクリップのうち、ＢＤＭＶ形式のクリップを一覧表示し、同時にＢＤＡＶ形式のクリップの一覧表示へ切り替えるボタンを表示する表示例を示した図
【図１６】何も記録されていないＢＤに初めて記録する場合の処理フロー例を示したフローチャート
【図１７】何も記録されていないＢＤに初めて記録する場合の処理フロー例を示したフローチャート
【図１８】ＢＤ上に記録されたＢＤＭＶとＢＤＡＶが共存したファイル構成例を模式的に示した図
【図１９】ＢＤに記録されたクリップを一覧表示して再生する処理フロー例を示したフローチャート
【図２０】ＢＤレコーダの構成例を示したブロック図
【符号の説明】
【０２２６】
１００ … ルートディレクトリ
１０１ … サブディレクトリＢＤＭＶ
１０２ … ｉｎｄｅｘ．ｂｄｍｖ
１０３ … ＭｏｖｉｅＯｂｊｅｃｔ．ｂｄｍｖ
１０４ … サブディレクトリＰＬＡＹＬＩＳＴ
１０５ … ０００００．ｍｐｌｓ
１０６ … サブディレクトリＣＬＩＰＩＮＦ
１０７ … ０１０００．ｃｌｐｉ
１０８ … サブディレクトリＳＴＲＥＡＭ
１０９ … ０１０００．ｍ２ｔｓ
１１０ … サブディレクトリＡＵＸＤＡＴＡ
１１１ … ｓｏｕｎｄ．ｂｄｍｖ
１１２ … サブディレクトリＢＡＣＫＵＰ
２００ … ルートディレクトリ
２０１ … サブディレクトリＢＤＡＶ
２０２ … ｉｎｆｏ．ｂｄａｖ
２０３ … ｍｅｎｕ．ｔｉｄｘ
２０４ … ｍｅｎｕ．ｔｄｔ１
２０５ … ｍｅｎｕ．ｔｄｔ２
２０６ … ｍａｒｋ．ｔｉｄｘ
２０７ … ｍａｒｋ．ｔｄｔ１
２０８ … ｍａｒｋ．ｔｄｔ２
２０９ … サブディレクトリＰＬＡＹＬＩＳＴ
２１０ … ０１００１．ｒｐｌｓ
２１１ … ０２００２．ｒｐｌｓ
２１２ … サブディレクトリＣＬＩＰＩＮＦ
２１３ … ０１０００．ｃｌｐｉ
２１４ … ０２０００．ｃｌｐｉ
２１５ … サブディレクトリＳＴＲＥＡＭ
２１６ … ０１０００．ｍ２ｔｓ
２１７ … ０２０００．ｍ２ｔｓ
３００ … ルートディレクトリ
４０１ … 一覧表示のタイトル
４０２ … １番目のクリップのタイトル
４０３ … １番目のクリップの情報
４０４ … ２番目のクリップのタイトル
４０５ … ２番目のクリップの情報
４０６ … ３番目のクリップのタイトル
４０７ … ３番目のクリップの情報
５０１ … 一覧表示のタイトル
５０２ … １番目のクリップのタイトル
５０３ … １番目のクリップの情報
５０４ … ２番目のクリップのタイトル
５０５ … ２番目のクリップの情報
６０１ … １番目のクリップのタイトルとクリップ情報
６０２ … １番目のクリップのサムネール画像
６０３ … ２番目のクリップのタイトルとクリップ情報
６０４ … ２番目のクリップのサムネール画像
６０５ … ３番目のクリップのタイトルとクリップ情報
６０６ … ３番目のクリップのサムネール画像
７０１ … 一覧表示のタイトル
７０２ … １番目のクリップのサムネール画像
７０３ … １番目のクリップのタイトルとクリップ情報
７０４ … ２番目のクリップのサムネール画像
７０５ … ２番目のクリップのタイトルとクリップ情報
８０１ … 一覧表示のタイトル
８０２ … １番目のクリップのタイトル
８０３ … ２番目のクリップのタイトル
８０４ … ３番目のクリップのタイトル
８０５ … ４番目のクリップのタイトル
８０６ … ５番目のクリップのタイトル
９０１ … 一覧表示のタイトル
９０２ … １番目の表示方法
９０３ … ２番目の表示方法
９０４ … ３番目の表示方法
１００１ … 一覧表示のタイトル
１００２ … １番目のクリップのタイトル
１００３ … １番目のクリップの情報
１００４ … ２番目のクリップのタイトル
１００５ … ２番目のクリップの情報
１００６ … ３番目のクリップのタイトル
１００７ … ３番目のクリップの情報
１１０１ … 一覧表示のタイトル
１１０２ … １番目のクリップのタイトル
１１０３ … １番目のクリップの情報
１１０４ … ２番目のクリップのタイトル
１１０５ … ２番目のクリップの情報
１３０１ … 一覧表示のタイトル
１３０２ … １番目のクリップのタイトル
１３０３ … ２番目のクリップのタイトル
１３０４ … ３番目のクリップのタイトル
１３０５ … ４番目のクリップのタイトル
１３０６ … ５番目のクリップのタイトル
１４０１ … 一覧表示のタイトル
１４０２ … １番目のクリップのタイトル
１４０３ … １番目のクリップの情報
１４０４ … ２番目のクリップのタイトル
１４０５ … ２番目のクリップの情報
１４０６ … ３番目のクリップのタイトル
１４０７ … ３番目のクリップの情報
１４０８ … ＢＤＭＶ形式のクリップ一覧表示ボタン
１５０１ … 一覧表示のタイトル
１５０２ … １番目のクリップのタイトル
１５０３ … １番目のクリップの情報
１５０４ … ２番目のクリップのタイトル
１５０５ … ２番目のクリップの情報
１５０６ … ＢＤＡＶ形式のクリップ一覧表示ボタン
１８０１ … ルートディレクトリ
１８０２ … 共存フラグ
２０００ … Ｂｌｕ−ｒａｙディスクレコーダ（ＢＤレコーダ）
２００１ … Ｂｌｕ−ｒａｙディスク（ＢＤ）
２００２ … ユーザＩ／Ｆ
２００３ … 制御部
２００４ … メモリ
２００５ … トラックバッファ
２００６ … ドライブ
２００７ … ピックアップ
２００８ … エンコーダ／デコーダ部
２００９ … 入力部
２０１０ … 出力部
２０１１ … チューナ
２０１２ … 分離部
Ｓ１６０１ … 開始ステップ
Ｓ１６０２ … ＢＤレコーダの記録モードを判定するステップ
Ｓ１６０３ … ＢＤにＢＤＡＶディレクトリが存在するかどうかを判定するステップ
Ｓ１６０４ … ＢＤにＢＤＡＶとＢＤＭＶが共存していることを示すフラグが存在するかどうかを判定するステップ
Ｓ１６０５ … 判定結果が記録可能である場合の処理を行うステップ
Ｓ１６０６ … 終了ステップ
Ｓ１６０７ … ＢＤにＢＤＭＶディレクトリが存在するかどうかを判定するステップ
Ｓ１６０８ … 判定結果が記録不可である場合の処理を行うステップ
Ｓ１７０１ … 開始ステップ
Ｓ１７０２ … 記録するフォーマットがＢＤＭＶであるか、ＢＤＡＶであるか判定するステップ
Ｓ１７０３ … ＢＤにＢＤＭＶディレクトリが存在するかどうかを判定するステップ
Ｓ１７０４ … ＢＤにＢＤＭＶディレクトリを追加するステップ
Ｓ１７０５ … ＢＤにＢＤＡＶとＢＤＭＶが共存していることを示すフラグを追加するステップ
Ｓ１７０６ … 記録開始ステップ
Ｓ１７０７ … 終了ステップ
Ｓ１７０８ … ＢＤにＢＤＡＶディレクトリが存在するかどうかを判定するステップ
Ｓ１７０９ … ＢＤにＢＤＡＶディレクトリを追加するステップ
Ｓ１９０１ … 開始ステップ
Ｓ１９０２ … ＢＤ上にＢＤＭＶフォーマットが記録されているかどうか判定するステップ
Ｓ１９０３ … ＢＤ上にＢＤＡＶフォーマットが記録されているかどうか判定するステップ
Ｓ１９０４ … ＢＤ上に共存フラグが記録されているかどうか判定するステップ
Ｓ１９０５ … ＢＤＭＶフォーマットで記録されたクリップとＢＤＡＶフォーマットで記録されたクリップをまとめて、一覧表示するステップ
Ｓ１９０６ … 表示されたクリップ一覧から、再生するクリップを選択し、再生を行うステップ
Ｓ１９０７ … ＢＤＭＶフォーマットで記録されたクリップのみを一覧表示するステップ
Ｓ１９０８ … ＢＤＡＶフォーマットで記録されたクリップのみを一覧表示するステップ
Ｓ１９０９ … 終了ステップ
【図１】
0004492588.tif 000002
【図２】
0004492588.tif 000003
【図３】
0004492588.tif 000004
【図４】
0004492588.tif 000005
【図５】
0004492588.tif 000006
【図６】
0004492588.tif 000007
【図７】
0004492588.tif 000008
【図８】
0004492588.tif 000009
【図９】
0004492588.tif 000010
【図１０】
0004492588.tif 000011
【図１１】
0004492588.tif 000012
【図１２】
0004492588.tif 000013
【図１３】
0004492588.tif 000014
【図１４】
0004492588.tif 000015
【図１５】
0004492588.tif 000016
【図１６】
0004492588.tif 000017
【図１７】
0004492588.tif 000018
【図１８】
0004492588.tif 000019
【図１９】
0004492588.tif 000020
【図２０】
0004492588.tif 000021